【事件の表示】
　特願２００４−３３１９８２「電流センサ」拒絶査定不服審判事件〔平成１８年　６月　８日出願公開、特開２００６−１４５２３８〕について、次のとおり審決する。
【結　論】
　本件審判の請求は、成り立たない。
【理　由】
１．手続の経緯
　本願は、平成１６年１１月１６日の出願であって、平成２１年８月３１日付け（発送日同年９月８日）で拒絶査定がなされ、これに対し、平成２１年１１月２６日に拒絶査定に対する審判請求がなされたものである。
　
　
２．本願発明について
　本願の請求項１〜２に係る発明は、平成２１年８月７日付け手続補正書の特許請求の範囲の請求項１〜２に記載された事項により特定されるとおりのものであるところ、その請求項１に係る発明（以下、「本願発明」という。）は次のとおりである。
　
「【請求項１】
　　コアと前記コアに発生する磁界の強度を電流量に変換する磁電変換素子とがケースに収容され、前記ケースに、検出電流を通電するブスバーが貫通されて前記ケースの両側から突出した状態で一体に設けられ、
　前記ケースの一方側から突出する前記ブスバーの端部が、バッテリとオルタネータとの並列部分に接続、固定され、
　前記ケースの他方側から突出する前記ブスバーの端部が、ヒュージブルリンクブロックに接続、固定されて、前記並列部分と前記ヒュージブルリンクブロックとの間の電源供給線に前記ブスバーが介在され、前記ケースにはコネクタ部が設けられ、
　前記ヒュージブルリンクブロックは、バッテリー及びオルタネータからの電源をヒューズを介し、複数の負荷との電気的接続を行うコネクタ部が複数設けられたことを特徴とする電流センサ。」
　
　
３．引用例記載の発明
　原査定の拒絶の理由に引用された、本願の出願前である平成１２年１１月２４日に頒布された特開２０００−３２４６６７号公報（以下、「引用例１」という。）には、図面とともに、
　
（１−１）
「【００１８】図２に示すように、電気接続箱１０は、電流検出装置（電流センサ）３０と螺着型のヒュージブルリンク４０とリレー１４及びヒューズ１５等を装着した合成樹脂製の接続箱本体１１と、この接続箱本体１１の部品装着側である上側に装着自在にされた合成樹脂製の上部カバー１２と、上記接続箱本体１１の電線引出側である下側に装着自在にされた合成樹脂製の下部カバー１３とから構成されている。
【００１９】接続箱本体１１は略矩形状のベース部（部品装着部）１１ａを境として上下側が開口された箱形になっていて、該ベース部１１ａに電流検出装置３０とヒュージブルリンク４０とリレー１４及びヒューズ１５等の部品類を着脱自在に装着してある。これら電流検出装置３０とヒュージブルリンク４０とリレー１４及びヒューズ１５等の部品類には所定の回路を形成するための入出力用の複数の電線１６を接続してある。この複数の電線１６は下部カバー１３に形成された電線引出口１３ａより外へ引き出されている。」
　
（１−２）
「【００２３】図１〜図３に示すように、電流検出装置３０は、接続箱本体１１の一対の取付座２１，２１にボルト（締結手段）２３を介して着脱自在に取り付けられる取付部３１ａを両側にそれぞれ有したブスバー３１と、このブスバー３１を貫通させて該ブスバー３１に流れる電流を検出する電流検出体としての磁気コア３２と、これらブスバー３１と磁気コア３２を一体化して該磁気コア３２を保護する合成樹脂製のカバー３３と、このカバー３３の下側に一体突出形成され、上記磁気コア３２の検出値を出力するコネクタ３４とで構成されている。
【００２４】ブスバー３１の一対の取付部３１ａ，３１ａには、ボルト２３のシャンク部２３ａが挿通される丸孔３１ｂをそれぞれ形成してある。このブスバー３１の一方の取付部３１ａは図６に示す電源回路の電源遮断装置５０に端子板３５及び電線５１を介して接続されていると共に、他方の取付部３１ａはモータ等の負荷３に端子板３６と電線５２及びヒューズ１５を介して接続されている。
【００２５】電流検出体は磁気コア３２と図示しないホール素子等の磁気電気変換素子と基板等から構成されている。そして、この電流検出体では、ブスバー３１を流れる電流によって発生する磁界を磁気コア３２に集め、この磁界の強さを磁気電気変換素子を介して電圧として検出することにより、ブスバー３１を流れる電流を検出するようになっている。
【００２６】図４，図５に示すように、ヒュージブルリンク４０のリンク本体４１の下部両側には、ブスバー３１の一対の取付部３１ａ，３１ａと略同形状の一対の脚部４２，４２を水平に延びるように突設してある。この一対の脚部４２，４２は接続箱本体１１の一対の取付座２１′，２１′にボルト（締結手段）２３を介して着脱自在に取り付けられるようになっている。即ち、一対の脚部４２，４２にはボルト２３のシャンク部２３ａが挿通される丸孔４２ａをそれぞれ形成してある。このヒュージブルリンク４０の一方の脚部４２は図６に示す電源回路の電源遮断装置５０に端子板４３及び電線５１を介して接続されていると共に、他方の脚部４２は発電装置２に端子板４４及び電線５３を介して接続されている。尚、図６に示すように、電流検出装置３０及びバッテリー１に接続された電源遮断装置５０は電子コントロールユニット５４にそれぞれ接続されている。また、図１，図５，図７，図８中符号２４はリング状のワッシャを示す。
【００２７】以上実施形態の電流検出装置３０によれば、該電流検出装置３０を構成するブスバー３１と磁気コア３２とカバー３３及びコネクタ３４を該カバー３３を介して一体化したことにより、従来のような磁気コア３２にブスバー３１を貫通させる組付作業をなくすことができる。これにより、電気接続箱１０の接続箱本体１１の一対の取付座２１，２１に電流検出装置３０のブスバー３１の一対の取付部３１ａ，３１ａを各ボルト２３を介して容易に取り付けることができる。また、ブスバー３１と磁気コア３２とカバー３３及びコネクタ３４を該カバー３３を介して一体化して一部品としたことにより、その分、部品点数を削減することができて」
　
が記載されている。
　
　そして、これらの記載から、引用例１には、次のとおりの発明、
　　
【引用例１に記載された発明】
「磁気コア３２（コアに相当。）と前記磁気コア３２（コアに相当。）に発生する磁界の強度を電流量に変換するホール素子（磁電変換素子に相当。）とがカバー３３（ケースに相当。）に収容され、前記カバー３３（ケースに相当。）に、検出電流を通電するブスバー３１（ブスバーに相当。）が貫通されて前記カバー３３（ケースに相当。）の両側から突出した状態で一体化して（一体にに相当。）設けられ、
　前記カバー３３（ケースに相当。）の一方側から突出する前記ブスバー３１（ブスバーに相当。）の取付部３１ａ（端部に相当。）が、バッテリ１（バッテリに相当。）と発電装置２（オルタネータに相当。）との並列部分に接続、固定され、
　前記カバー３３（ケースに相当。）の他方側から突出する前記ブスバー３１（ブスバーに相当。）の取付部３１ａ（端部に相当。）が、接続箱本体１１（ヒュージブルリンクブロックに対応。）に接続、固定されて、前記並列部分と前記接続箱本体１１（ヒュージブルリンクブロックに対応。）との間の電源供給線に前記ブスバー３１（ブスバーに相当。）が介在され、前記カバー３３（ケースに相当。）にはコネクタ３４（コネクタ部に相当。）が設けられ、
　前記接続箱本体１１（ヒュージブルリンクブロックに対応。）は、バッテリ１（バッテリに相当。）及び発電装置２（オルタネータに相当。）からの電源をヒューズ１５，１５，１５，１５（ヒューズに相当。）を介し、負荷３，３，３，３（複数の負荷に相当。）との電気的接続を行う
　ことを特徴とする電流検出装置３０（電流センサに相当。）。」（以下、これを「引用例１に記載された発明」という。）
　
が記載されていると認められる。
　
　
４．対比・判断
　本願発明と引用例１に記載された発明とを対比する。
　引用例１に記載された発明における「磁気コア３２」、「ホール素子」、「カバー３３」、「ブスバー３１」、「一体化して」、「取付部３１ａ」、「バッテリ１」、「発電装置２」、「取付部３１ａ」、「コネクタ３４」、「ヒューズ１５，１５，１５，１５」、「負荷３，３，３，３」、「電流検出装置３０」は、それぞれ、
  本願発明における「コア」、「磁電変換素子」、「ケース」、「ブスバー」、「一体に」、「端部」、「バッテリ」、「オルタネータ」、「端部」、「コネクタ部」、「ヒューズ」、「複数の負荷」、「電流センサ」
に相当する。
　また、引用例１に記載された発明における「接続箱本体１１」、本願発明における「ヒュージブルリンクブロック」は、共に、
「接続装置」
に相当する。
　
したがって、両者は、
　
【一致点】
「コアと前記コアに発生する磁界の強度を電流量に変換する磁電変換素子とがケースに収容され、前記ケースに、検出電流を通電するブスバーが貫通されて前記ケースの両側から突出した状態で一体に設けられ、
　前記ケースの一方側から突出する前記ブスバーの端部が、バッテリとオルタネータとの並列部分に接続、固定され、
　前記ケースの他方側から突出する前記ブスバーの端部が、接続装置に接続、固定されて、前記並列部分と前記接続装置との間の電源供給線に前記ブスバーが介在され、前記ケースにはコネクタ部が設けられ、
　前記接続装置は、バッテリー及びオルタネータからの電源をヒューズを介し、複数の負荷との電気的接続を行う
　ことを特徴とする電流センサ。」
　  
で一致し、
　
【相違点１】
「本願発明では、ヒュージブルリンクブロック（接続装置に相当。）は、複数の負荷との電気的接続を行うコネクタ部が複数設けられたものであるのに対して、
　引用例１に記載された発明では、接続箱本体１１（接続装置に相当。）は、負荷３，３，３，３（複数の負荷に相当。）との電気的接続を行うコネクタ部が複数設けられたものであるかどうか不明である点」
　
で相違する。
　
　そこで、上記【相違点１】について検討する。
「電源をヒューズを介し、自動車等に搭載される電気機器（複数の負荷に相当。）との電気的接続を行うはめ込み端子１３，１３・・・（コネクタ部に相当。）が複数設けられたヒュージブルリンクブロック。」
は周知である（以下、これを「周知のヒュージブルリンクブロック」という。）
　
　（例えば、本願の出願前である平成１４年４月５日に頒布された特開２００２−１０１５２６号公報の、
　「【０００１】
【発明の属する技術分野】本発明は、自動車等に搭載される電気機器への電源供給用の電源電線が接続されるバスバーと、負荷電線が接続されるはめ込み端子とが、絶縁ハウジング上面から挿着されるヒュージブルリンクを介して接続される電気接続箱の電源接続構造に関する。特に、複数のヒュージブルリンクを連鎖状に一体化したマルチヒュージブルリンクが挿着されるヒュージブルリンクブロックに最適な電源入力端子の接続構造に関する。
【０００２】
【従来の技術】従来より自動車等に搭載される電気機器に使用されている電子素子等を過大電流から守るために様々なヒューズ及びヒュージブルリンクが多数使用されており、このヒューズ及びヒュージブルリンクを集中的に収納した箱状ブロックが、車種や取付位置によって様々な形態を有している。例えば、図４に示した従来のヒュージブルリンクブロック（以下、ＦＬブロックと云う）は、絶縁ハウジング１に、ヒュージブルリンク３が挿入される挿入凹部４が、隔壁５を隔てて６個形成されている。
【０００３】前記隔壁５には切欠き５ａが形成され、この切欠き５ａを利用してバスバー７が絶縁ハウジング１に嵌入固定される。このバスバー７は、挿入凹部４に対応してタブ状端子９が一体に形成され、この各タブ状端子９は、バスバー７が絶縁ハウジング１に嵌入固定された状態で、各挿入凹部４の底面から突出した状態となる。
【０００４】また、前記絶縁ハウジング１には、挿入凹部４と反対側の面（図中下方）から、負荷電線１１が接続されるはめ込み端子１３がバスバー７のタブ状端子９と対をなすように、各挿入凹部４の底面から突出した状態となる。この状態で、ヒュージブルリンク３を挿入凹部４に挿入固定することで、ヒュージブルリンク３の相互に導通している一対の雌端子にタブ状端子９とはめ込み端子１３とがそれぞれ挿入され、これら両端子９、１３相互は、ヒュージブルリンク３を介して電気的に接続されることになる。
【０００５】更に、前記バスバー７は、タブ状端子９の他に、端子接続部１５が形成されている。この端子接続部１５は、バスバー７のタブ状端子９が形成された部位に対して屈曲形成され、絶縁ハウジング１に設けられたボルト収容部１７上に、載置される。この端子接続部１５上には、電源電線１９に接続されたねじ締め端子２１が載置され、ボルト収容部１７に頭部を下にした状態で収容されるボルト２３のねじ部が、端子接続部１５及びねじ締め端子２１を貫通して上方に突出し、このボルト２３にナットが締結される。
【０００６】前記ねじ締め端子２１が接続される電源電線１９及びはめ込み端子１３に接続される負荷電線１１は、絶縁ハウジング１の下方に引き出されて、絶縁ハウジング１の下部側に装着されるロアカバー２７内に収容され、ロアカバー２７の端部に形成された取出口２７ａから外部に取り出される。」
の記載参照。）
　
から、
　引用例１に記載された発明に上記周知のヒュージブルリンクブロックを適用して、その接続箱本体１１（接続装置に相当。）を、負荷３，３，３，３（複数の負荷に相当。）との電気的接続を行うはめ込み端子１３，１３・・・（コネクタ部に相当。）が複数設けられたヒュージブルリンクブロックとすることは、当業者が容易になし得ることである。
　
　そして、本願発明の効果は、引用例１に記載された発明及び周知のヒュージブルリンクブロックに基づいて当業者が予測可能な範囲のものである。
  
　
５．むすび
　以上のとおり、本願発明は、引用例１に記載された発明及び周知のヒュージブルリンクブロックに基づいて当業者が容易に発明をすることができたものであるから、特許法第２９条第２項の規定により特許を受けることができない。
　そして、本願発明が、特許を受けることができないものであるから、その余の請求項２に係る発明について検討するまでもなく、本願は拒絶すべきである。
　よって、結論のとおり審決する。